(57)【要約】【課題】従来よりも高い装飾性を有する衣服、アクセサリー及びインテリア用装飾素材を提供する。【解決手段】銅または銅合金フィラメントからなる糸のリボン状編織体から構成されている衣服、アクセサリー及びインテリア用装飾素材において、部分的に、かつ、視認できる大きさで着色されている衣服、アクセサリー及びインテリア用装飾素材。【選択図】図１
2010013769.tif 000002
【特許請求の範囲】
【請求項１】
銅または銅合金フィラメントからなる糸のリボン状編織体から構成されている衣服、アクセサリー及びインテリア用装飾素材において、部分的に、かつ、視認できる大きさで着色されていることを特徴とする衣服、アクセサリー及びインテリア用装飾素材。
【請求項２】
上記糸が、銅または銅合金フィラメントと有機紐状体とを引き揃えてなる複合糸であることを特徴とする請求項１に記載の衣服、アクセサリー及びインテリア用装飾素材。
【請求項３】
上記銅または銅合金フィラメントの直径が、３μｍ以上３０μｍ以下であることを特徴とする請求項１または請求項２に記載の衣服、アクセサリー及びインテリア用装飾素材。
【請求項４】
上記有機紐状体が、有機フィラメント糸であることを特徴とする請求項１ないし請求項３のいずれか１項に記載の衣服、アクセサリー及びインテリア用装飾素材。
【請求項５】
上記リボン状編織体が、編物であることを特徴とする請求項１ないし請求項４のいずれか１項に記載の衣服、アクセサリー及びインテリア用装飾素材。
【請求項６】
上記編物が、筒状編物であることを特徴とする請求項５に記載の衣服、アクセサリー及びインテリア用装飾素材。
【請求項７】
上記請求項１ないし請求項６のいずれか１項に記載の衣服、アクセサリー及びインテリア用装飾素材からなることを特徴とする衣料。
【請求項８】
上記請求項１ないし請求項６のいずれか１項に記載の衣服、アクセサリー及びインテリア用装飾素材からなることを特徴とするアクセサリー。
【請求項９】
上記請求項１ないし請求項６のいずれか１項に記載の衣服、アクセサリー及びインテリア用装飾素材からなることを特徴とするインテリア用品。
【発明の詳細な説明】
【技術分野】
【０００１】
本発明は、各種衣服と組み合わせて用い、あるいは、アクセサリーやインテリアなどの素材として用いることができる衣服、アクセサリー及びインテリア用装飾素材に関する。
【背景技術】
【０００２】
本発明者等は、金属繊維からなるリボンが賦形性に富み、衣服、アクセサリー及びインテリア用装飾素材として好適に用いることができることを非特許文献１で開示している。
【０００３】
さらに、実用新案登録第３１３８７２１号公報（特許文献１）において、銅または銅合金フィラメントと有機紐状体からなる複合糸から構成された防寒衣料用の織編物を提案している。
【０００４】
これら素材はいずれも賦形性に富み、充分な装飾性を有するものであったが、さらに高い装飾性が求められるようになった。
【特許文献１】実用新案登録第３１３８７２１号公報
【非特許文献１】「イタリア生まれの金属繊維のリボン  フリーメタリコのアクセサリー」、大石美貴世（本願発明者である大石光貴世の筆名）著  ２００６年４月１０日  株式会社ブティック社発行
【発明の開示】
【発明が解決しようとする課題】
【０００５】
本発明は、上記した従来の問題点を改善する、すなわち、従来よりも高い装飾性を有する衣服、アクセサリー及びインテリア用装飾素材を提供することを目的とする。
【課題を解決するための手段】
【０００６】
本発明者等は、鋭意検討の結果、部分的に、かつ、視認できる大きさで色づけを行うことで、賦形時の立体感をさらに強調することができることを見出し、本発明に至った。
【０００７】
すなわち、本発明の衣服、アクセサリー及びインテリア用装飾素材は上記課題を解決するため、請求項１に記載の通り、銅または銅合金フィラメントからなる糸のリボン状編織体から構成されている衣服、アクセサリー及びインテリア用装飾素材において、部分的に、かつ、視認できる大きさで着色されていることを特徴とする衣服、アクセサリー及びインテリア用装飾素材である。
【０００８】
また、本発明の衣服、アクセサリー及びインテリア用装飾素材は、請求項２に記載の通り、請求項１に記載の衣服、アクセサリー及びインテリア用装飾素材において、上記糸が、銅または銅合金フィラメントと有機紐状体とを引き揃えてなる複合糸であることを特徴とする。
【０００９】
また、本発明の衣服、アクセサリー及びインテリア用装飾素材は、請求項３に記載の通り、請求項１または請求項２に記載の衣服、アクセサリー及びインテリア用装飾素材において、上記銅または銅合金フィラメントの直径が、３μｍ以上３０μｍ以下であることを特徴とする。
【００１０】
また、本発明の衣服、アクセサリー及びインテリア用装飾素材は、請求項４に記載の通り、請求項１ないし請求項３のいずれか１項に記載の衣服、アクセサリー及びインテリア用装飾素材において、上記有機紐状体が、有機フィラメント糸であることを特徴とする。
【００１１】
また、本発明の衣服、アクセサリー及びインテリア用装飾素材は、請求項５に記載の通り、請求項１ないし請求項４のいずれか１項に記載の衣服、アクセサリー及びインテリア用装飾素材において、上記リボン状編織体が、編物であることを特徴とする。
【００１２】
また、本発明の衣服、アクセサリー及びインテリア用装飾素材は、請求項６に記載の通り、請求項５に記載の衣服、アクセサリー及びインテリア用装飾素材において、上記編物が、筒状編物であることを特徴とする。
【００１３】
また、本発明の衣料は、請求項７に記載の通り、上記請求項１ないし請求項６のいずれか１項に記載の衣服、アクセサリー及びインテリア用装飾素材からなることを特徴とする衣料である。
【００１４】
また、本発明のアクセサリーは、請求項８に記載の通り、上記請求項１ないし請求項６のいずれか１項に記載の衣服、アクセサリー及びインテリア用装飾素材からなることを特徴とするアクセサリーである。
【００１５】
また、本発明のインテリア用品は、請求項８に記載の通り、上記請求項１ないし請求項６のいずれか１項に記載の衣服、アクセサリー及びインテリア用装飾素材からなることを特徴とするインテリアである。
【発明の効果】
【００１６】
本発明の衣服、アクセサリー及びインテリア用装飾素材によれば、その賦形性を活用して立体状の形状にしたときに、その立体感が強調され、従来では得られなかった意匠性を得ることができるので、衣服やアクセサリーの部分、あるいはこれらを構成したときに、かつてない新規な印象を観察者に与えることができる。
【発明を実施するための最良の形態】
【００１７】
本発明では銅または銅合金繊維としてフィラメント（長繊維）であることが必要である。短繊維糸を用いた場合にはその脱落が生じやすく、また、着用者の肌に違和感を引き起こすおそれがあり、また、充分な賦形性が得られない。銅合金としては真鍮、丹銅などが挙げられる。
【００１８】
銅繊維には、銀などのめっきや、ラッカーなどによる被覆がなされていると、緑青などによる周囲の汚染を予め防止することができる。
【００１９】
本発明の衣服、アクセサリー及びインテリア用装飾素材は、部分的に、かつ、視認できる大きさで着色されていることが必要である。
【００２０】
着色の色は特に制限がなく、通常の色や金属色などを適宜選択でき、１色でも複数色でも良い。ただ、より高い立体感が得られるので、無着色部分よりも濃色（暗色）であることが好ましい。
【００２１】
本発明の衣服、アクセサリー及びインテリア用装飾素材において、全体が同じ色で着色されていると、立体感が得られないので、その一部が例えば５０ｃｍ〜１ｍ離れた位置からも視認できる大きさ、例えば２ｍｍ以上１ｃｍ以下となるように着色されていることが望ましい。着色の形状としては丸や多角形、雲状などの抽象的な模様が適宜選択され、あるいは、例えばリボン状編織体を均一に拡げた場合に、人や動物の顔や、特定の文字（例えば製造者名称）、あるいは、記号として認識されるような模様を選択しても良く、上記抽象的な模様と組み合わせても良い。
【００２２】
さらにそれぞれの模様の中心部の色がその周囲に比べて濃くなるようにされていると立体感がより強調されるので良い。
【００２３】
これら模様の配置は、規則的であっても、また、不規則なものであっても良い。また、これら着色部分は本発明の衣服、アクセサリー及びインテリア用装飾素材の全面に形成されていても、また、一部（例えば片面）だけに設けられていても良い。
【００２４】
着色は例えばインクジェット式、あるいはスクリーン印刷やオフセット印刷などから適したものを適宜選択して行う。用いる着色剤としてはインク、ペンキ、絵の具などから銅繊維に保持されるものを選択する。また、有機紐状体を併用する場合には、その有機紐状体を着色できるものを用いてもよい。
【００２５】
また、上記糸が、銅または銅合金フィラメントと有機紐状体とを引き揃えてなる複合糸であることが好ましい。このとき、素材に折れや、曲げが生じた場合に対しても銅または銅合金フィラメントの折れ、切断に対する高い予防効果が得られ、装飾素材としての耐性が著しく向上するので、寿命が長くなると共に、銅または銅合金フィラメント単独による寒冷感が同時に防止されるので、肌に直接触れる箇所であっても好適に用いることができる。さらに、銅または銅合金フィラメントに着色しにくい染料等であっても用いる有機紐状体との組合せを選択することにより、着色を容易とすることが可能となったり、あるいは、脱離しにくい染料を選択することが可能になると云う効果も同時に得ることができる。
【００２６】
上記銅または銅合金フィラメントは、その直径が３μｍ以上３０μｍ以下であるものであることが好ましい。このとき、銅または銅合金フィラメントに切れが生じにくくことがなく、かつ、肌に触れる部分に用いた場合に銅または銅合金フィラメントが着用者の肌に違和感を引き起こすことがない。特に好ましい範囲は５μｍ以上２０μｍ以下である。
【００２７】
また、上記有機紐状体が、有機フィラメント糸であると、強度が高く、不要な毛羽立ちも抑えられ、かつ、銅または銅合金フィラメントによる装飾的な金属のイメージを大きく損なうことがない。
【００２８】
さらに、上記リボン状編織体が、編物であると高い賦形性と柔軟性と合わせ持つことができ、より高い装飾性が得られる。
【００２９】
また、上記編物が、筒状編物であるとその内部に宝石（疑似宝石を含む）やパール（模造パールを含む）を入れることができ、このときにはこれら宝石やパール類は編物により確実に保持されると共に、内部の宝石やパールは編物の目から視認されるのでアクセントとなり、さらに高い装飾性が得られる。また、筒状編物の端部にこれら宝石やパールを保持するときには、その周囲で衣服、アクセサリー及びインテリア用装飾素材をねじることにより、容易にかつ確実にこれらの落下が防止される。
【００３０】
本発明の衣服、アクセサリー及びインテリア用装飾素材は、その賦形性を利用して部分的に幅を拡げたり狭めたり、ねじったり、丸めたりして利用することができるが、このとき、着色部分により、立体感が得られ、従来にない高い装飾性が得られる。
【００３１】
本発明の衣服、アクセサリー及びインテリア用装飾素材は身体に直接付けるアクセサリー（チョーカー、リストバンド等）や、衣服や靴、スリッパ、サンダル等に付けるアクセサリー（コサージュ、ベルト等）、あるいは衣服や靴の一部として、あるいは、鞄やバッグ類の本体や肩ベルトに応用することができる。
【００３２】
さらに、インテリア用品としては、例えばランプシェード、カーテン、あるいは、ベッドなどの家具が挙げられ、それらの装飾に用いることができる。
【００３３】
以下に本発明の衣服、アクセサリー及びインテリア用装飾素材について図面を用いて説明するが、本発明はこれら例には限定されない。
【００３４】
図１（ａ）に符号１を付して示したのは本発明に係る衣服、アクセサリー及びインテリア用装飾素材の例である。図１（ｂ）はその編組織が見えるように拡大したモデル拡大図であり、用いられている糸は、さらに拡大したモデル拡大図である図１（ｃ）に示すように銅フィラメント（太さ：２５μｍ）１ａと有機紐状体としてのフィラメント（ポリアミド繊維（ナイロン））１ｂとを引き揃えてなる複合糸である。
【００３５】
この衣服、アクセサリー及びインテリア用装飾素材の例１では丸編となっており、直径が１．５ｃｍ程度の筒状形状をしている。さらにこの衣服、アクセサリー及びインテリア用装飾素材の例１では、潰されて平リボン状とされた上、その両面が褐色のインキにより部分的に５ｍｍ程度の斑模様が形成されており、銅色の非着色１１と褐色の着色部１２とが形成されている。
【００３６】
この銅色の衣服、アクセサリー及びインテリア用装飾素材１は、銅フィラメントにより高い賦形性を備えている。そのことについて図２を用いて説明する。
【００３７】
符号１４を付して示された箇所は、部分的に拡幅された部分である。この部分はまた凹状（反対面は凸状）とすることにより、さらに立体感を付与することができる。
【００３８】
一方、衣服、アクセサリー及びインテリア用装飾素材１の端部側では、その筒形状を利用して内部にパール２を入れてあるが、網目の隙間から外部から視認されるので、高い装飾効果が得られる。また、パール上に着色部１２が位置するより高い立体感が得られる。この衣服、アクセサリー及びインテリア用装飾素材１は、パール２の両端ではねじられて、ねじり部１５が形成されているので、内部のパール２の亡失が予防されている。
【００３９】
次に衣服、アクセサリー及びインテリア用装飾素材１でアクセサリーであるコサージュを作製する方法の一例について図３によって説明する。
【００４０】
図３（ａ）に示すように衣服、アクセサリー及びインテリア用装飾素材１の一方の端部１３から内部に比較的大きいパール２を入れ、パール２の両脇でねじってねじり部１５を形成してパール２を固定する（図３（ｂ）参照）。
【００４１】
次いでこのパール２が固定された部分が中心になるように衣服、アクセサリー及びインテリア用装飾素材１を巻き（図３（ｃ）参照）、円柱状とし、次いで、図３（ｄ）に示すように円柱の一方の底面部を圧縮して窄め、図中矢印部分を例えば安全ピンや糸、針金等で留める。
【００４２】
円柱の他方の底面部の衣服、アクセサリー及びインテリア用装飾素材１を部分的に拡幅したり、部分的にひねったりすることにより、中央にパール２が見えるコサージュ３とすることができる。このコサージュは、衣服、アクセサリー及びインテリア用装飾素材１の褐色の着色部分により立体感が強調された豪華なものとなっている。
【００４３】
図４では、本発明に係る衣服の例としてワンピース４を示した。
【００４４】
ワンピース４には上記コサージュ３が固定されており、また、部分的に拡幅された拡幅部１４を有する衣服、アクセサリー及びインテリア用装飾素材１がアクセントとして縫い付けてある。
【００４５】
図５では、本発明に係る衣服、アクセサリー及びインテリア用装飾素材をショルダーバックに応用した例である。ショルダーバック５の本体部には上記コサージュ３が固定されており、また肩紐部分には部分的に拡幅された拡幅部１４を有する衣服、アクセサリー及びインテリア用装飾素材１が巻き付けてある。
【図面の簡単な説明】
【００４６】
【図１】本発明に係る衣服、アクセサリー及びインテリア用装飾素材の例１を示す図である。
【図２】本発明に係る衣服、アクセサリー及びインテリア用装飾素材の例１の変形例を示す図である。
【図３】本発明に係る衣服、アクセサリー及びインテリア用装飾素材１を用いてコサージュを作る方法の一例を示す図である。
【図４】本発明に係る衣服であるワンピース４を示す図である。
【図５】本発明に係る衣服、アクセサリー及びインテリア用装飾素材１をバッグに応用した例を示す図である。
【符号の説明】
【００４７】
１      本発明に係る衣服、アクセサリー及びインテリア用装飾素材の例
２      パール
３      本発明に係るコサージュ
４      本発明に係るワンピース
５      ショルダーバック
【図１】
2010013769.tif 000003
【図２】
2010013769.tif 000004
【図３】
2010013769.tif 000005
【図４】
2010013769.tif 000006
【図５】
2010013769.tif 000007